(57)【要約】【課題】  一方の指輪を他方の指輪に内包させることで、組み合わされた指輪の間にデザイン的かつ構造的な統一性を発揮することのできる組み合わせ指輪及び該組み合わせ指輪の製造方法を提供する。【解決手段】  ステップ２０１、２０３では、外部指輪１０１の内半径Ｒｉｎ１、厚さＴ１、幅Ｗ１と内部指輪１０２の内半径Ｒｉｎ２、幅Ｗ２とが決められる。次に、ステップ２０５では内部指輪１０２の幅Ｗ２に対応して、クリアランスＣＬＲの大きさが決められる。そして、ステップ２０７では、内半径Ｒｉｎ１、Ｒｉｎ２、厚さＴ１、幅Ｗ１、Ｗ２、クリアランスＣＬＲに基づいて、内部指輪１０２の厚さＴ２が決められる。最後に、サイズ調整が行われた外部指輪１０１、内部指輪１０２に対して、装飾部１０１ｄ、１０２ｄの刻設が行われる。【選択図】        図６
2005198722.tif 000002
【特許請求の範囲】
【請求項１】
第１の内半径を有するように成形された第１の指輪と、前記第１の内半径よりも短い第２の内半径を有するように成形された第２の指輪とからなる組み合わせ指輪であって、
前記第２の指輪の厚さの調整によって、前記第２の内半径と前記第２の指輪の厚さとの和である第２の外半径が、前記第１の内半径よりも所定のクリアランスだけ短くなるように調整されるとともに、前記第２の指輪が前記第１の指輪に同心円状に嵌入可能であることを特徴とする組み合わせ指輪。
【請求項２】
前記第１の指輪の側面には、文字及び／又は図形の一部である第１の装飾部が施され、かつ前記第２の指輪の側面には、前記文字及び／又は前記図形から前記第１の装飾部を除いた部分である第２の装飾部が施されるとともに、
前記嵌入により前記第２の指輪が前記第１の指輪に内包された状態で、前記第１の装飾部及び前記第２の装飾部によって、前記文字及び／又は前記図形が形成されることを特徴とする請求項１記載の組み合わせ指輪。
【請求項３】
前記第１の指輪の内周面及び前記第２の指輪の外周面は、鏡面状かつ無装飾となるように加工されることを特徴とする請求項１又は請求項２記載の組み合わせ指輪。
【請求項４】
前記クリアランスは、０．０２ｍｍ以上０．０８ｍｍ以下であることを特徴とする請求項１、２又は３記載の組み合わせ指輪。
【請求項５】
前記クリアランスは、前記第２の指輪の幅に応じて決められ、該第２の指輪の幅の０．５０％以上１．００％以下であることを特徴とする請求項１、２又は３記載の組み合わせ指輪。
【請求項６】
第１の内半径を有するように成形された第１の指輪と、前記第１の内半径よりも短い第２の内半径を有するように成形された第２の指輪とからなる組み合わせ指輪の製造方法であって、
少なくとも前記第２の指輪の幅を決めて、前記第１の指輪の内半径と前記第２の指輪の内半径とを各々の着用者の指の大きさに応じて決めるステップと、
前記第２の指輪の幅に応じて所定のクリアランスの大きさを決めるステップと、
前記第２の指輪の厚さの調整によって、前記第２の内半径と前記第２の指輪の厚さとの和である第２の外半径が、前記第１の内半径よりも前記クリアランスの大きさだけ短くなるように調整されるステップとからなることを特徴とする組み合わせ指輪の製造方法。
【発明の詳細な説明】
【技術分野】
【０００１】
本発明は組み合わせ指輪及び該組み合わせ指輪の製造方法に係わり、特に、一方の指輪を他方の指輪に内包させることで、組み合わされた指輪の間にデザイン的かつ構造的な統一性を発揮することのできる組み合わせ指輪及び該組み合わせ指輪の製造方法に関する。
【背景技術】
【０００２】
従来より、１本の指輪では特別なデザイン性を奏しないが、２本の指輪を組み合わせることにより、統一されたデザイン性を奏することのできる組み合わせ指輪が提供されている。
そして、このような組み合わせ指輪としては、特許文献１に示されるようなものが知られている。
【０００３】
【特許文献１】公開実用新案  平６−１２５号公報
【０００４】
この特許文献１に示される組み合わせ指輪の構成図を図８に示す。
図８において、組み合わせ指輪１０は、下部指輪１１と上部指輪１２とから構成されている。そして、この下部指輪１１の外周面１１ａには、ハートマークの一部（下半分）を模した装飾部１１ｄが刻設されている。一方、上部指輪１２の外周面１２ａにも、ハートマークの一部（上半分）を模した装飾部１２ｄが刻設されている。
【０００５】
かかる構成において、下部指輪１１と上部指輪１２とを同心円状に重ねると、装飾部１１ｄと装飾部１２ｄとが一体となって１つのハートマークを形成する。
このことにより、下部指輪１１の装飾部１１ｄと上部指輪１２の装飾部１２ｄとにより、組み合わせ指輪１０に統一したデザイン性を発揮させることができる。
【０００６】
なお、組み合わせ指輪１０は、以上のような統一したデザイン性により、両指輪間に連結感あるいは一体感が奏されるため、結婚用、婚約用その他のペア用の指輪に応用されることが多い。そして、この組み合わせ指輪１０は、その用途ゆえに、装飾部１１ｄ、１２ｄに上記のようなハートマーク等の愛情を示す模様が刻設されたり、あるいは“ＬＯＶＥ”等の愛情を示す文字（図示略）が刻設されたりすることが多い。
【発明の開示】
【発明が解決しようとする課題】
【０００７】
しかしながら、このようなハートマーク等の模様や“ＬＯＶＥ”等の文字はありふれた図形、文字等であるため、指輪の外周面１１ａ、１２ａを他人に見られると、即座に認識されてしまうおそれがあった。
そして、このような場合には、特に、男性は恥ずかしい等の感情を抱くため、それ以降の指輪の着用を拒む場合があった。そのため、男性に指輪をして欲しいという女性の要望が損なわれてしまうおそれがあった。また、男性自身も女性の要望に応じたいという気持ちを満足させられなかった。
【０００８】
一方、組み合わせ指輪１０は、上述のように、下部指輪１１と上部指輪１２とを同心円状に重ねることにより、統一したデザイン性を発揮するものである。従って、下部指輪１１と上部指輪１２の指輪のサイズがともに同程度であれば、下部指輪１１を床等の上に置いて、さらにその上に上部指輪１２を重ねることにより、何らの支持等を必要とせずに装飾部１１ｄ、１２ｄによるハート状の模様や“ＬＯＶＥ”等の文字を確認することができる。
【０００９】
しかしながら、下部指輪１１と上部指輪１２の指輪のサイズに大きな差がある場合（例えば、下部指輪１１のサイズが大きく、上部指輪１２のサイズが小さい場合）には、下部指輪１１と上部指輪１２とを同心円状に重ねると、上部指輪１２が下部指輪１１に内側に落ちてしまい、装飾部１１ｄ、１２ｄを確認するために上部指輪１２を手で支持する必要があった。そのため、下部指輪１１と上部指輪１２との間に奏される連結感あるいは一体感が発揮し難くなるおそれがあった。
【００１０】
さらに、組み合わせ指輪１０は、下部指輪１１と上部指輪１２の装飾部１１ｄ、１２ｄにおけるデザイン的な統一性を発揮するに留まるものであり、これらの間に構造的な統一性を奏することはできなかった。
そのため、下部指輪１１と上部指輪１２とにより奏される連結感あるいは一体感をさらに高め合うことが困難であり、また、将来にわたって時間や価値観を共有していく者との間の共有意識を増幅し合うことが困難であった。
【００１１】
本発明はこのような従来の課題に鑑みてなされたもので、一方の指輪を他方の指輪に内包させることで、組み合わされた指輪の間にデザイン的かつ構造的な統一性を発揮することのできる組み合わせ指輪及び該組み合わせ指輪の製造方法を提供することを目的とする。
【課題を解決するための手段】
【００１２】
このため本発明は、組み合わせ指輪に関し、第１の内半径を有するように成形された第１の指輪と、前記第１の内半径よりも短い第２の内半径を有するように成形された第２の指輪とからなる組み合わせ指輪であって、前記第２の指輪の厚さの調整によって、前記第２の内半径と前記第２の指輪の厚さとの和である第２の外半径が、前記第１の内半径よりも所定のクリアランスだけ短くなるように調整されるとともに、前記第２の指輪が前記第１の指輪に同心円状に嵌入可能であることを特徴とする。
【００１３】
第２の指輪の厚さの調整によって、第２の外半径が第１の内半径よりもクリアランスの大きさだけ短くなるように調整される。そのため、第２の指輪をわずかなクリアランスを介して第１の指輪に嵌入することができる。
このことにより、第１の指輪と第２の指輪との間に構造的な統一性を発揮することができる。なお、第１の指輪の厚さを第２の指輪の厚さとほぼ同じにすることで、構造的な統一性を一層際立たせることができる。
【００１４】
また、本発明は、組み合わせ指輪に関し、前記第１の指輪の側面には、文字及び／又は図形の一部である第１の装飾部が施され、かつ前記第２の指輪の側面には、前記文字及び／又は前記図形から前記第１の装飾部を除いた部分である第２の装飾部が施されるとともに、前記嵌入により前記第２の指輪が前記第１の指輪に内包された状態で、前記第１の装飾部及び前記第２の装飾部によって、前記文字及び／又は前記図形が形成されることを特徴とする。
【００１５】
第１の指輪の側面及び第２の指輪の側面のそれぞれに、第１の装飾部及び第２の装飾部として、文字及び／又は図形の一部が施される。そして、この文字及び／又は図形は、両側面に対して刻設したり、あるいは印刷したりすることにより施される。
また、第２の指輪が第１の指輪に嵌入されることで、第２の指輪が第１の指輪に内包される。そして、この内包された状態では、第１の装飾部と第２の装飾部とが一体化され、文字及び／又は図形を全体として認識することができる。
このことにより、第１の指輪と第２の指輪との間にデザイン的かつ構造的な統一性を発揮することができる。
なお、第１の指輪の幅と第２の指輪の幅とを一致させれば、第２の指輪を第１の指輪に対して軸方向、周方向、径方向において完全に内包させることができ、第１の指輪と第２の指輪との間の構造的な統一性をさらに高めることができる。そして、この場合、第１の装飾部と第２の装飾部との間にずれがなくなるため、文字及び／又は図形が認識され易くなって、さらにデザイン的な統一性を高めることができる。
【００１６】
さらに、本発明は、組み合わせ指輪に関し、前記第１の指輪の内周面及び前記第２の指輪の外周面は、鏡面状かつ無装飾となるように加工されることを特徴とする。
【００１７】
このことにより、第１の指輪を第２の指輪に滑らかに嵌入することができる。
なお、この「滑らかさ」を阻害しない範囲であれば、第１の指輪の内周面や第２の指輪の外周面に対して凹になるように、彫金等の手法で装飾を施したり、あるいはダイヤ、ルビー、サファイア等の宝石類を埋設しても良い。
【００１８】
さらに、本発明は、組み合わせ指輪に関し、前記クリアランスは、０．０２ｍｍ以上０．０８ｍｍ以下であることを特徴とする。
【００１９】
クリアランスが０．０２ｍｍよりも狭くなると、第２の指輪が第１の指輪に嵌入される際に、第２の指輪が第１の指輪の内周面に引っかかってしまい、第１の指輪の内周面や第２の指輪の外周面を傷付けてしまうおそれがある。
一方、クリアランスが０．０８ｍｍよりも広くなると、第２の指輪が第１の指輪に内包された状態で第１の指輪のみを支持して持ち上げた場合、第２の指輪は、第１の指輪の内周面に全く引っかからないために、第１の指輪から即座に抜け落ちてしまう。そのため、外部指輪１０１と内部指輪１０２との間に構造的な統一性を発揮し難くなるおそれがある。また、第２の指輪が第１の指輪に内包されたときに、第１の装飾部と第２の装飾部との間にすき間が形成され、文字及び／又は図形が認識し難くなって、両指輪間のデザイン的な統一性が損なわれるおそれがある。
従って、クリアランスは０．０２ｍｍ以上０．０８ｍｍ以下であることが好ましい。
【００２０】
さらに、本発明は、組み合わせ指輪に関し、前記クリアランスは、前記第２の指輪の幅に応じて決められ、該第２の指輪の幅の０．５０％以上１．００％以下であることを特徴とする。
【００２１】
同じクリアランスの大きさを有する組み合わせ指輪であっても、第２の指輪の嵌入の際の傾きを考慮すると、第２の指輪の幅により、第１の指輪に嵌入されるために必要な長さが変化するため、クリアランスの大きさが十分であったり、不足したりする場合がある。すなわち、必要なクリアランスの大きさと第２の指輪の幅との間には、理想的な相関関係が存在し、具体的には第２の指輪の幅が大きいときにはクリアランスを広くしたり、あるいは第２の指輪の幅が小さいときにはクリアランスをある程度狭くしたり、というように加工することが好ましい。
このことにより、第２の指輪の幅を決めることで、そのときの両指輪間に必要なクリアランスの大きさを求めることができる。
【００２２】
さらに、本発明は、組み合わせ指輪の製造方法に関し、第１の内半径を有するように成形された第１の指輪と、前記第１の内半径よりも短い第２の内半径を有するように成形された第２の指輪とからなる組み合わせ指輪の製造方法であって、少なくとも前記第２の指輪の幅を決めて、前記第１の指輪の内半径と前記第２の指輪の内半径とを各々の着用者の指の大きさに応じて決めるステップと、前記第２の指輪の幅に応じて所定のクリアランスの大きさを決めるステップと、前記第２の指輪の厚さの調整によって、前記第２の内半径と前記第２の指輪の厚さとの和である第２の外半径が、前記第１の内半径よりも前記クリアランスの大きさだけ短くなるように調整されるステップとからなることを特徴とする。
【００２３】
このことにより、第２の指輪が第１の指輪に嵌入されて、第２の指輪が第１の指輪に内包される組み合わせ指輪を製造することができる。
【発明の効果】
【００２４】
以上説明したように本発明によれば、第２の指輪の厚さの調整により、第２の外半径が、第１の内半径よりもクリアランスの大きさだけ短くなるように調整したので、第２の指輪をわずかなクリアランスを介して第１の指輪に嵌入することができる。
【００２５】
また、第１の指輪の側面及び第２の指輪の側面のそれぞれに、第１の装飾部及び第２の装飾部として、文字及び／又は図形の一部を施したので、嵌入により第２の指輪が第１の指輪に内包された状態で、第１の装飾部と第２の装飾部とが一体化され、文字及び／又は図形を全体として認識することができる。
このことにより、第１の指輪と第２の指輪との間にデザイン的かつ構造的な統一性を発揮することができる。
【発明を実施するための最良の形態】
【００２６】
以下、本発明の実施形態について説明する。
本発明の実施形態である組み合わせ指輪の構成図を図１に示す。
図１において、組み合わせ指輪１００は、外部指輪１０１と内部指輪１０２とから構成されている。そして、例えば、外部指輪１０１は男性用の指輪であり、内部指輪１０２は女性用の指輪となっている。
【００２７】
ここに、外部指輪１０１は、プラチナ製であり、例えば、図示しない帯状部材（幅Ｗ１、厚さＴ１）に対し、これを円環状（内半径Ｒｉｎ１、外半径Ｒｏｕｔ１）に成形したものとなっている。そして、外部指輪１０１の中心軸１０１ｅに対して、その径方向内側の面が内周面１０１ａとなっており、その径方向外側の面が外周面１０１ｂとなっており、その木口面が側面１０１ｃとなっている。なお、外部指輪１０１の材料については、プラチナだけでなく、それ以外にチタン、金合金、銀あるいはこれらを組み合わせたもの等であっても良い。
【００２８】
一方、内部指輪１０２も、外部指輪１０１と同様に、プラチナ製であり、例えば、図示しない帯状部材（幅Ｗ２、厚さＴ２）に対し、これを円環状（内半径Ｒｉｎ２、外半径Ｒｏｕｔ２）に成形したものとなっている。そして、内部指輪１０２の中心軸１０２ｅに対して、その径方向内側の面が内周面１０２ａとなっており、その径方向外側の面が外周面１０２ｂとなっており、その木口面が側面１０２ｃとなっている。なお、内部指輪１０２の材料についても、プラチナだけでなく、それ以外にチタン、金合金、銀あるいはこれらを組み合わせたもの等であっても良い。ただし、外部指輪１０１と内部指輪１０２との間にデザイン的かつ構造的な統一性を発揮すべく、外部指輪１０１と同じ材料が用いられることが望ましい。
【００２９】
かかる構成において、外部指輪１０１の内周面１０１ａは、後述する内部指輪１０２が外部指輪１０１に嵌脱される際に、外部指輪１０１側で内部指輪１０２に対向する面である。また、この内周面１０１ａと内部指輪１０２との間の距離は、外部指輪１０１と内部指輪１０２とに構造的な統一性を発揮すべく、後述する微小なクリアランスＣＬＲ分だけしか離れていない。そのため、内周面１０１ａは、外部指輪１０１と内部指輪１０２との嵌脱を滑らかに行うべく、鏡面状かつ無装飾となるように加工される。
【００３０】
一方、外部指輪１０１の外周面１０１ｂは、内周面１０１ａと異なり、内部指輪１０２が外部指輪１０１に嵌脱される際に、内部指輪１０２に対向する面ではない。そのため、内周面１０１ａのように、鏡面状かつ無装飾となるように加工される必要はなく、例えば、梨面状に加工されたり、適度な装飾が施されたり、あるいは宝石類が取り付けられたりしても良い。ただし、この場合に施される装飾等は、外部指輪１０１が主に男性用として用いられることを考慮して、男性が恥ずかしい等の感情を抱かない程度のものが好ましい。
【００３１】
さらに、外部指輪１０１の側面１０１ｃには、内部指輪１０２との間にデザイン的な統一性を発揮すべく、所定の文字等（図中、簡単のため「あいうえお」とする）の一部である装飾部１０１ｄが刻設される。そして、この装飾部１０１ｄは、それのみでは完全な形として「あいうえお」と認識できない（上半分しか見えない）が、内部指輪１０２が内包されて後述する装飾部１０２ｄと一体化することにより、完全な形として認識されるようになる。
【００３２】
また、外部指輪１０１の厚さＴ１は、実際の着用感やその着脱の容易さ等を考慮して、１．２ｍｍ以上２．５ｍｍ以下であることが好ましい。すなわち、外部指輪１０１の厚さＴ１が２．５ｍｍを超えると、平均的な手の大きさの場合、外部指輪１０１を嵌めた指（例えば、薬指）とその隣の指（例えば、中指又は小指）との間の距離よりも、外部指輪１０１の厚さＴ１の方が大きくなってしまう。そして、この状態で着用者が手を握ると、薬指と中指との間（あるいは薬指と小指との間）で外部指輪１０１が挟まり、手に違和感等を覚えるおそれがある。
【００３３】
一方、外部指輪１０１の厚さＴ１が１．２ｍｍよりも薄くなると、着用者が外部指輪１０１を着用して指を曲げた際に、外部指輪１０１が第２関節等に食い込んで、手に痛みを感じるおそれがある。また、外部指輪１０１の厚さＴ１が薄いため、着用者が外部指輪１０１を外す際にも外部指輪１０１を把持し難く、着脱し難い等の問題を生じるおそれがある。
【００３４】
なお、この外部指輪１０１の厚さＴ１は、あらゆる着用者の手の形状に対応できるように、さらに望ましくは、１．４ｍｍ以上２．０ｍｍ以下であることが好ましい。
【００３５】
また、外部指輪１０１の内半径Ｒｉｎ１の大きさは、外部指輪１０１を着用する者、例えば男性の薬指の太さに基づいて決められる。そして、この外部指輪１０１の内半径Ｒｉｎ１は、通常規格化されており、例えば、図２に示すような指輪の号数のいずれかと一致している。
さらに、外部指輪１０１の外半径Ｒｏｕｔ１の大きさは、外部指輪１０１の厚さＴ１とその内半径Ｒｉｎ１の大きさとの和と一致している。
【００３６】
また、外部指輪１０１の幅Ｗ１に関しては、指輪としての機能性、デザイン性を考慮して、３．０ｍｍ以上１２．０ｍｍ以下であることが好ましい。すなわち、外部指輪１０１の幅Ｗ１が１２．０ｍｍを超えると、幅Ｗ１が着用者の指の付け根と第２関節との間の長さよりも長くなってしまい、外部指輪１０１の着用時に指が曲がらなくなるおそれがある。一方、外部指輪１０１の幅Ｗ１が３．０ｍｍよりも薄くなると、指輪としてのボリューム感に欠け、（外部指輪１０１単独での）デザイン性が低くなってしまうおそれがある。
【００３７】
このような外部指輪１０１に対して、内部指輪１０２の外周面１０２ｂは、内部指輪１０２が外部指輪１０１に嵌脱される際に、内部指輪１０２側で外部指輪１０１に対向する面である。そのため、外周面１０２ｂは、外部指輪１０１の内周面１０１ａと同様に、内部指輪１０２と外部指輪１０１との嵌脱を滑らかに行うべく、鏡面状かつ無装飾となるように加工される。
【００３８】
一方、内部指輪１０２の内周面１０２ａは、外周面１０２ｂと異なり、内部指輪１０２が外部指輪１０１に嵌脱される際に、外部指輪１０１に対向する面ではない。そのため、外周面１０２ｂのように、鏡面状かつ無装飾となるように加工される必要はなく、例えば、梨面状に加工されたり、適度な装飾が施されたり、あるいは宝石類が埋設等されたりしても良い。ただし、この場合に施される装飾等は、内部指輪１０２を着用した際に、着用者の指に違和感を与えない程度のものが好ましい。
【００３９】
さらに、内部指輪１０２の側面１０２ｃには、外部指輪１０１との間にデザイン的な統一性を発揮すべく、所定の文字等（図中、「あいうえお」とする）の一部である装飾部１０２ｄが刻設される。そして、この装飾部１０２ｄは、それのみでは完全な形として「あいうえお」と認識できない（下半分しか見えない）が、内部指輪１０２が内包されて、外部指輪１０１の装飾部１０１ｄと一体化することにより、完全な形として認識できるようになる。
【００４０】
ここに、外部指輪１０１の装飾部１０１ｄと内部指輪１０２の装飾部１０２ｄの加工に際しては、後述する内部指輪１０２を外部指輪１０１に内包した状態で、その側面１０１ｃ、１０２ｃに対して、同時に装飾部１０１ｄ、１０２ｄを刻設することにより行われる。すなわち、この両側面１０１ｃ、１０２ｃに、文字等の形状を有する鋼製の部材を叩き付けたり、あるいは彫刻刀を用いて直接文字等の形状を彫ったりすることにより、装飾部１０１ｄ、１０２ｄが刻設される。
【００４１】
また、装飾部１０１ｄ、１０２ｄとして刻設される文字等に関しては、図中のように、指輪の内方から外方に向けて読んだときにそのまま「あいうえお」と読める向きに刻設される場合に限られず、例えば、これと反対に、指輪の外方から内方に向けて読んだときに「あいうえお」と読める向きでも良い。また、指輪の周方向を上下にしたときに、縦書きで「あいうえお」と読める向きであっても良い。
【００４２】
また、内部指輪１０２の厚さＴ２は、外部指輪１０１と同様の理由により、１．２ｍｍ以上２．５ｍｍ以下であることが好ましい。そして、さらに望ましくは、あらゆる着用者の手の形状に対応できるように、厚さＴ２は、１．４ｍｍ以上２．０ｍｍ以下であることが好ましい。
なお、この内部指輪１０２の厚さＴ２は、後述するが、内部指輪１０２を外部指輪１０１に内包させるために最後に調整される長さである。そのため、外部指輪１０１と内部指輪１０２との間に構造的な統一性を発揮すべく、外部指輪１０１の厚さＴ１を決めるとき（厚さＴ１の大きさに関しては、上記の通りの好適値の範囲に入れば十分であり、その値を決めるに際して自由度が高い）には、内部指輪１０２の厚さＴ２と同じになるようにすることが好ましい。
【００４３】
そして、内部指輪１０２の内半径Ｒｉｎ２の大きさも、外部指輪１０１と同様、内部指輪１０２を着用する者、例えば女性の薬指の太さに基づいて決められる。また、この内半径Ｒｉｎ２も規格化されており、例えば、図２に示すような指輪の号数のいずれかと一致している。
さらに、内部指輪１０２の外半径Ｒｏｕｔ２の大きさも、内部指輪１０２の厚さＴ２とその内半径Ｒｉｎ２の大きさとの和と一致している。
【００４４】
さらに、内部指輪１０２の幅Ｗ２は、外部指輪１０１と内部指輪１０２との間にデザイン的かつ構造的な統一性を発揮すべく、外部指輪１０１の幅Ｗ１と一致していることが好ましい。これにより、内部指輪１０２が外部指輪１０１に内包された状態で、側面１０２ｃと側面１０１ｃとの間にずれが生じないようになる。
【００４５】
次に、内部指輪１０２が外部指輪１０１に嵌入される際の様子について説明する。この嵌入の様子を示した図を図３に示す。
図３において、内部指輪１０２は、その中心軸１０２ｅが、外部指輪１０１の中心軸１０１ｅと重なるように、すなわち外部指輪１０１に対して同心円状に重ねられている。そして、内部指輪１０２は、そのまま中心軸１０１ｅ、１０２ｅの方向（図中矢印で示す）へ向けて、外部指輪１０１に嵌入されるようになっている。
【００４６】
このとき、内部指輪１０２が外部指輪１０１に内包された状態で、両指輪間に構造的な統一性を発揮するためには、（本来的に）外部指輪１０１の内半径Ｒｉｎ１と内部指輪１０２の外半径Ｒｏｕｔ２とが完全に一致していることが望ましい。しかしながら、実際には、内部指輪１０２を外部指輪１０１に嵌入するため、外部指輪１０１と内部指輪１０２との間に、所定のクリアランスＣＬＲを設ける必要がある。
【００４７】
ここに、このクリアランスＣＬＲは、内部指輪１０２の嵌脱を行うのに十分な大きさを有していれば良く、０．０２ｍｍ以上０．０８ｍｍ以下であることが好ましい。すなわち、クリアランスＣＬＲが０．０２ｍｍよりも狭くなると、内部指輪１０２が外部指輪１０１に嵌入される際に、内部指輪１０２が外部指輪１０１の内周面１０１ａに引っかかってしまい、この外部指輪１０１の内周面１０１ａや内部指輪１０２の外周面１０２ｂを傷付けてしまうおそれがある。
【００４８】
一方、クリアランスＣＬＲが０．０８ｍｍよりも広くなると、後述する図５のように内部指輪１０２が外部指輪１０１に内包された状態で外部指輪１０１のみを支持して持ち上げた場合、内部指輪１０２が外部指輪１０１の内周面１０１ａに全く引っかからないために、外部指輪１０１から即座に抜け落ちてしまう。従って、外部指輪１０１と内部指輪１０２との間に構造的な統一性を発揮し難くなるおそれがある（これに対して、適度なクリアランスＣＬＲを有していれば、両指輪の中心軸１０１ｅ、１０２ｅ対して全くの平行方向に持ち上げる場合を除き（すなわち、多少斜めに持ち上げる程度で）、内部指輪１０２が外部指輪１０１の内周面１０１ａに引っかかり抜け落ちることはない）。
【００４９】
また、クリアランスＣＬＲが０．０８ｍｍよりも広くなると、内部指輪１０２が外部指輪１０１に内包されたときに、外部指輪１０１の装飾部１０１ｄと内部指輪１０２の装飾部１０２ｄとの間にすき間が形成されてしまい、内部指輪１０２が内包された際の装飾部１０１ｄ、１０２ｄにおけるデザイン性が損なわれるおそれがある。
【００５０】
なお、さらに望ましくは、クリアランスＣＬＲの大きさに対して、内部指輪１０２の幅Ｗ２が反映されることが好ましい。これを図４に示す指輪の拡大断面図（中心軸１０１ｅ、１０２ｅに平行に断ったもの）を用いて説明する。
【００５１】
図４において、内部指輪１０２が外部指輪１０１に嵌入されている。そして、図４（ａ）に示すケース１では、幅Ｗ２（＝幅Ｗ１）＝３．０ｍｍとなっている。一方、図４（ｂ）に示すケース２では、幅Ｗ２（＝幅Ｗ１）＝７．０ｍｍとなっている。そして、ケース１、ケース２ともに、内部指輪１０２の中心軸１０２ｅが、外部指輪１０１の中心軸１０１ｅに対し、（紙面に平行に）５°だけ傾いている。さらに、ケース１、ケース２ともに、外部指輪１０１と内部指輪１０２とのクリアランスＣＬＲ（傾いていないときのもの）が０．０２ｍｍとなっている。
【００５２】
この場合において、ケース１では、図４（ａ）から明らかなように、内部指輪１０２が傾いても、内部指輪１０２の外部指輪１０１に対する径方向の長さ（すなわち、図中Ａで示す外部指輪１０１に嵌入されるために必要な長さＡ）が外部指輪１０１の内半径Ｒｉｎ１の２倍よりも小さいため、内部指輪１０２が外部指輪１０１に嵌入される際に、内部指輪１０２が外部指輪１０１の内周面１０１ａに引っかかることはない。そのため、ケース１においては、クリアランスＣＬＲの大きさが十分であるといえる。
【００５３】
一方、ケース２では、図４（ｂ）から明らかなように、内部指輪１０２が傾いた場合、外部指輪１０１に嵌入されるために必要な長さＡが外部指輪１０１の内半径Ｒｉｎ１の２倍よりも大きくなるため、内部指輪１０２が外部指輪１０１に嵌入される際に、内部指輪１０２が外部指輪１０１の内周面１０１ａに引っかかってしまう。そのため、この状態で、さらに内部指輪１０２を嵌入しようとすれば、内周面１０１ａを傷付けてしまうおそれがある。従って、ケース２においては、クリアランスＣＬＲの大きさが不十分であるといえる。
【００５４】
このように、同じクリアランスＣＬＲの大きさを有する外部指輪１０１と内部指輪１０２に対して、同じ角度だけ内部指輪１０２を傾かせても、その幅Ｗ２により、外部指輪１０１に嵌入されるために必要な長さＡが変化するため、クリアランスＣＬＲの大きさが十分であったり、不十分であったりする場合がある。
【００５５】
すなわち、必要なクリアランスの大きさと内部指輪の幅Ｗ２との間には、理想的な相関関係が存在し、具体的には内部指輪１０２の幅Ｗ２が大きいときにはクリアランスＣＬＲを広くしたり、あるいは幅Ｗ２が小さいときにはクリアランスＣＬＲをある程度狭くしたり、というように加工することが好ましい。
【００５６】
そして、このように内部指輪１０２の嵌入の際に内部指輪１０２が傾くケースは、人が内部指輪１０２を外部指輪１０１に嵌入する際にも当然に起こり得るものであるため、クリアランスＣＬＲの大きさは、嵌入の際の内部指輪１０２の傾きを考慮して決めることが好ましい。
そのため、クリアランスＣＬＲの大きさは、およそ以下の表１に示すような最適値を設定することが好ましい。
【００５７】
【表１】
2005198722.tif 000003
【００５８】
そして、また、表１の関係を別な視点から捉えれば、クリアランスＣＬＲは、内部指輪１０２の幅Ｗ２に対して、０．５０％以上１．００％以下の範囲に決定されることが好ましい、ともいえる。
【００５９】
次に、内部指輪１０２が外部指輪１０１に内包された際の様子について説明する。この内包の様子を示した図を図５に示す。なお、図５（ａ）は、組み合わせ指輪の斜視図であり、図５（ｂ）は、図５（ａ）中のＢ矢視線図であり、図５（ｃ）は、図５（ａ）中のＣ矢視線図である。
【００６０】
図５において、内部指輪１０２が、外部指輪１０１に内包されている。
この場合において、外部指輪１０１と内部指輪１０２との間は、両指輪間にデザイン的かつ構造的な統一性を発揮するため、数１に示すような関係を満たす必要がある。すなわち、内部指輪１０２の外半径Ｒｏｕｔ２の大きさが、クリアランスＣＬＲを介して、外部指輪１０１の内半径Ｒｉｎ１の大きさと一致している必要がある。
【００６１】
【数１】
2005198722.tif 000004
【００６２】
そして、この数１の関係を満たすために、組み合わせ指輪１００の作成においては、以下の手順により、その作成が行われる。この手順を示したフローチャートを図６に示す。
【００６３】
図６において、ステップ２０１（図中Ｓ２０１と略す。以下同じ）では、着用者の指の太さに基づいて、外部指輪１０１の内半径Ｒｉｎ１と内部指輪１０２の内半径Ｒｉｎ２とが決められる。そして、この内半径Ｒｉｎ１、Ｒｉｎ２に関しては、上述した図２に示す大きさに従って、着用者の指の太さに基づいて一義的に決められる。
【００６４】
また、ステップ２０３においては、着用者の好みに合わせて外部指輪１０１の厚さＴ１、幅Ｗ１、内部指輪１０２の幅Ｗ２が決められる。そして、この厚さＴ１や幅Ｗ１、Ｗ２に関しても、上述した好適値の範囲内において、着用者の好みに基づいて一義的に決定される。
【００６５】
さらに、ステップ２０５においては、ステップ２０３で決められた内部指輪１０２の幅Ｗ２に対応して、クリアランスＣＬＲの大きさが決められる。そして、このクリアランスＣＬＲの大きさも、上述した表１に従い、幅Ｗ２の大きさに対応して一義的に決められる。
【００６６】
そして、ステップ２０７では、内半径Ｒｉｎ１、Ｒｉｎ２、厚さＴ１、幅Ｗ１、Ｗ２、クリアランスＣＬＲに基づいて、上述した数１の関係を満たすように、内部指輪１０２の厚さＴ２が決められる。
【００６７】
ここに、内部指輪１０２の厚さＴ２の調整においては、予め内半径Ｒｉｎ２、幅Ｗ２が決められた内部指輪１０２（の原型）に対して、その外周面１０２ｂを大まかに旋盤等の機械を用いて荒削りし、その後、手作業によりサンドペーパー等を用いて少しずつ研削することにより行われる。そして、クリアランスＣＬＲがステップ２０５で決めた大きさになるまで、サンドペーパー等による研削が続けられる。なお、クリアランスＣＬＲ等の微小値の計測に際しては、例えば、（株）ミツトヨ社製のデジタルノギス等を用いて計測される。
【００６８】
最後に、ステップ２０９では、このようにしてサイズ調整が行われた外部指輪１０１、内部指輪１０２に対して、装飾部１０１ｄ、１０２ｄの刻設が行われる。なお、装飾部１０１ｄ、１０２ｄの刻設は、上述したように、内部指輪１０２を外部指輪１０１に内包した状態で、同時に、側面１０１ｃ、１０２ｃに対して装飾部１０１ｄ、１０２ｄを刻設することにより行われる。
【００６９】
そして、このようにして作成した組み合わせ指輪１００の代表例を図７に示す。
この図７のように、組み合わせ指輪１００として、様々な組み合わせ例を採用することが可能である。
【００７０】
このことにより、内部指輪１０２を外部指輪１０１に対し、わずかなクリアランスＣＬＲを介して内包させることができる。また、両指輪の幅Ｗ１、Ｗ２を同じ大きさとすることで、内部指輪１０２を外部指輪１０１に対し、内部指輪１０２の軸方向、周方向、径方向全てにおいて完全に内包させることができる。さらに、クリアランスＣＬＲが好適値の範囲に設定されるため、内部指輪１０２が外部指輪１０１に内包された際に装飾部１０１ｄと装飾部１０２ｄとを一体化することができ、完全な形として文字等を認識することができる。
【００７１】
そのため、外部指輪１０１と内部指輪１０２との間には、装飾部１０１ｄ、１０２ｄにより、デザイン的な統一性が発揮されるようになる。また、内部指輪１０２が外部指輪１０１に完全に内包されるため、両指輪間に構造的な統一性も発揮されるようになる。
【００７２】
そして、装飾部１０１ｄ、１０２ｄは、側面１０１ｃ、１０２ｃに設けられているため、指輪の着用時に装飾部１０１ｄや１０２ｄを他人に認識されることがなくなり、男性等においても指輪の着用を拒むことがなくなる。このため、男性に指輪をして欲しいという女性の要望を満足させることができる。また、男性自身も女性の要望に応じたいという気持ちを満たすこともできる。
【００７３】
さらに、側面１０１ｃ、１０２ｃに装飾部１０１ｄ、１０２ｄが設けられているため、例えば、外部指輪１０１を床等の上に置いて、さらにその上から内部指輪１０２を嵌入させることで、何らの支持等を必要とせずに装飾部１０１ｄ、１０２ｄにおけるデザイン的な統一性を確認することができる。
【００７４】
また、外部指輪１０１と内部指輪１０２との間に号数差があったとしても、内部指輪１０２の厚さＴ２を調節することにより、内部指輪１０２を外部指輪１０１に対してわずかなクリアランスＣＬＲを介して内包させることができる。従って、外部指輪１０１と内部指輪１０２との間に連結感あるいは一体感を発揮し易くなる。
【００７５】
さらに、組み合わせ指輪１００は、デザイン的な統一性だけでなく、構造的な統一性を発揮することができるため、外部指輪１０１と内部指輪１０２とにより奏される連結感あるいは一体感をさらに高め合うことができ、また、将来にわたって時間や価値観を共有していく者との間の共有意識を増幅し合うことが可能となる。
【００７６】
なお、図７において示した代表例は、あくまで上述した内半径Ｒｉｎ１、Ｒｉｎ２、外半径Ｒｏｕｔ１、Ｒｏｕｔ２、厚さＴ１、Ｔ２、幅Ｗ１、Ｗ２、クリアランスＣＬＲが好適値の範囲内におけるものである。従って、指輪の着用者個人の着用感やその美的な感覚等に合わせて、厚さＴ１、Ｔ２、幅Ｗ１、Ｗ２等の大きさが前述した好適値の範囲を超えて設定可能であれば、当然にさらに多くの組み合わせの例を提供することが可能である。
【００７７】
すなわち、着用者の着用感等に合わせて、厚さＴ２を（好適値の範囲を超えて）さらに薄くすることができれば、外部指輪１０１と内部指輪１０２との号数差（内半径Ｒｉｎ１と内半径Ｒｉｎ２との差）が極めて小さくても、本実施形態である組み合わせ指輪１００を提供することができる。
【００７８】
また、幅Ｗ１、Ｗ２に関しても、これらの大きさが一致していなくても、着用者の要望に応じて、幅Ｗ１＞幅Ｗ２（あるいはその逆）となるような組み合わせ指輪１００を提供しても良い。この場合、両指輪の装飾部１０１ｄ、１０２ｄにおいてずれが生じるが、この装飾部１０１ｄ、１０２ｄを指輪の中心軸１０１ｅ、１０２ｅ方向から垂直に見ることにより、何ら問題なく装飾部１０１ｄ、１０２ｄのデザイン的な統一性を確認することが可能である。
【００７９】
また、本実施形態においては、装飾部１０１ｄ、１０２ｄは、側面１０１ｃ、１０２ｃに刻設されるものとして説明してきたが、これに限られず、装飾部１０１ｄ、１０２ｄは側面１０１ｃ、１０２ｃに印刷されても良い。そして、この場合の印刷は、シルクスクリーン、レーザー、焼き付け等の方法により行われる。
【００８０】
さらに、本実施形態においては、装飾部１０１ｄ、１０２ｄとして、文字（「あいうえお」）が刻設等されるものとして説明してきたが、これに限られず、例えば、装飾部１０１ｄ、１０２ｄは図形であっても良いし、文字と図形との組み合わせであっても良い。
【００８１】
さらに、本実施形態においては、外部指輪１０１の内周面１０１ａや内部指輪１０２の外周面１０２ｂは、互いに対向し合う面であるため、鏡面状かつ無装飾となるように加工されるものとして説明してきたが、これに限られない。すなわち、外部指輪１０１と内部指輪１０２との間の「嵌脱の滑らかさ」を阻害しない範囲であれば、内周面１０１ａや外周面１０２ｂに対して凹になるように、彫金等の手法で装飾を施しても良く、また、ダイヤ、ルビー、サファイア等の宝石類を埋設しても良い。
【００８２】
さらに、本実施形態においては、外部指輪１０１と内部指輪１０２との間、すなわち２本の指輪の間のデザイン的かつ構造的な統一性を発揮するものとして説明してきたが、これに限られず、３本以上の指輪の間のデザイン的かつ構造的な統一性を発揮するものであっても良い。そして、３本の指輪の場合には、２本の指輪を夫婦で使用し、もう１本をその子供に使用させたり、あるいは、親、子、孫間の３世代で１本ずつ使用するようにしても良い。
【図面の簡単な説明】
【００８３】
【図１】本発明の実施形態である組み合わせ指輪の構成図
【図２】指輪の号数を示した図
【図３】嵌入の様子を示した図
【図４】指輪の拡大断面図
【図５】内包の様子を示した図
【図６】組み合わせ指輪の作成の手順を示したフローチャート
【図７】組み合わせ指輪の例
【図８】従来の組み合わせ指輪の構成図
【符号の説明】
【００８４】
１０、１００  組み合わせ指輪
１０１  外部指輪
１０２  内部指輪
１０１ａ、１０２ａ  内周面
１１ｂ、１２ｂ、１０１ｂ、１０２ｂ  外周面
１０１ｃ、１０２ｃ  側面
１０１ｅ、１０２ｅ  中心軸
１１ｄ、１２ｄ、１０１ｄ、１０２ｄ  装飾部
ＣＬＲ  クリアランス
Ｒｉｎ１、Ｒｉｎ２  内半径
Ｒｏｕｔ１、Ｒｏｕｔ２  外半径
Ｗ１、Ｗ２  幅
【図１】
2005198722.tif 000005
【図２】
2005198722.tif 000006
【図３】
2005198722.tif 000007
【図４】
2005198722.tif 000008
【図５】
2005198722.tif 000009
【図６】
2005198722.tif 000010
【図７】
2005198722.tif 000011
【図８】
2005198722.tif 000012